(57)【特許請求の範囲】
【請求項１】
ユーザ機器ＵＥが、ＣＳＩ−ＲＳのリソース位置を決定するためのＵＬ／ＤＬ構成情報を取得することと、
前記ユーザ機器が、前記ＵＬ／ＤＬ構成情報に基づいて、ＣＳＩ−ＲＳ伝送用サブフレームのサブフレームタイプを決定することと、
前記ユーザ機器が、決定されたサブフレームタイプに基づいて、前記ＣＳＩ−ＲＳ伝送用サブフレームのうちＣＳＩ−ＲＳのリソース位置を決定することと
を含むＣＳＩ−ＲＳ伝送リソースの決定方法。
【請求項２】
前記ユーザ機器が、システムの協定または基地局から送信されるユーザ専用シグナリングに基づいて、ＣＳＩ−ＲＳのリソース位置を決定するためのＵＬ／ＤＬ構成情報を一種または複数種類のシグナリングによって取得する請求項１に記載の方法。
【請求項３】
ユーザ機器が、ＣＳＩ−ＲＳのリソース位置を決定するためのＵＬ／ＤＬ構成情報を取得することは、
前記ユーザ機器が、基地局から送信される放送シグナリング、基地局から送信される物理レイヤダウンリンクシグナリング、および基地局から送信されるユーザ専用のハイレイヤシグナリングの一種または複数種類によってＵＬ／ＤＬ構成情報を取得することを含む請求項１または２に記載の方法。
【請求項４】
前記ユーザ機器が、基地局から送信されるユーザ専用のハイレイヤシグナリングによってＵＬ／ＤＬ構成情報を取得することは、
前記ユーザ機器が、放送シグナリングおよび／または物理レイヤダウンリンクシグナリングによってＵＬ／ＤＬ構成情報を取得するように前記ユーザ機器に指示するためのユーザ専用のハイレイヤシグナリングを基地局から受信することと、
前記ユーザ機器が、前記ユーザ専用のハイレイヤシグナリングによる指示に基づいて、放送シグナリングおよび／または物理レイヤダウンリンクシグナリングによってＵＬ／ＤＬ構成情報を取得することと
を含む請求項３に記載の方法。
【請求項５】
前記ユーザ機器が前記ＵＬ／ＤＬ構成情報に基づいて決定したＣＳＩ−ＲＳ伝送用サブフレームのサブフレームタイプは、一種または複数種類である請求項１〜４のいずれか一項に記載の方法。
【請求項６】
前記ユーザ機器が、決定したサブフレームタイプに基づいて、前記ＣＳＩ−ＲＳ伝送用サブフレームのうちＣＳＩ−ＲＳのリソース位置を決定することは、
前記ユーザ機器が、前記ＵＬ／ＤＬ構成情報に基づいて決定したＣＳＩ−ＲＳ伝送用サブフレームのサブフレームタイプが一種である場合、前記ＣＳＩ−ＲＳ伝送用サブフレームの単一種類のサブフレームタイプに基づいて、ＣＳＩ−ＲＳのリソース位置を決定することを含む請求項５に記載の方法。
【請求項７】
前記ユーザ機器が、決定したサブフレームタイプに基づいて、前記ＣＳＩ−ＲＳ伝送用サブフレームのうちＣＳＩ−ＲＳのリソース位置を決定することは、
前記ユーザ機器が、前記ＵＬ／ＤＬ構成情報に基づいて決定したＣＳＩ−ＲＳ伝送用サブフレームのサブフレームタイプが複数種類である場合、前記複数種類のサブフレームタイプのそれぞれに基づいて、ＣＳＩ−ＲＳのリソース位置を決定して、サブフレームタイプ毎に対応するリソース位置集合を得ることと、
前記ユーザ機器が、サブフレームタイプ毎に対応するＣＳＩ−ＲＳリソース位置集合を、ダウンリンク信号の受信または測定用のＣＳＩ−ＲＳリソース位置として決定することと
を含む請求項５に記載の方法。
【請求項８】
前記ユーザ機器が、サブフレームタイプ毎に対応するＣＳＩ−ＲＳリソース位置集合をダウンリンク信号の受信または測定用のＣＳＩ−ＲＳリソース位置として決定した後に、
前記ユーザ機器が、サブフレームタイプ毎に対応するＣＳＩ−ＲＳリソース位置集合のユニオン処理をして和集合を得、前記和集合でダウンリンク信号の受信または測定を行うこと、または、
前記ユーザ機器が、サブフレームタイプ毎に対応するＣＳＩ−ＲＳリソース位置集合でそれぞれダウンリンク信号の受信または測定を行うことを含む請求項７に記載の方法。
【請求項９】
前記ＣＳＩ−ＲＳ伝送用サブフレームは、１つの無線フレームのうちの第７個のサブフレームである請求項７に記載の方法。
【請求項１０】
前記ＣＳＩ−ＲＳは、ＺＰ  ＣＳＩ−ＲＳおよび／またはＮＺＰ  ＣＳＩ−ＲＳを含み、
決定されたサブフレームタイプは、アップリンクのノーマルサブフレーム、ダウンリンクのノーマルサブフレームおよびスペシャルサブフレームのうちの少なくとも１つを含む請求項１〜９のいずれか一項に記載の方法。
【請求項１１】
ＣＳＩ−ＲＳのリソース位置を決定するためのＵＬ／ＤＬ構成情報を取得するための取得ユニットと、
前記ＵＬ／ＤＬ構成情報に基づいて、ＣＳＩ−ＲＳ伝送用サブフレームのサブフレームタイプを決定するための第１決定ユニットと、
決定されたサブフレームタイプに基づいて、前記ＣＳＩ−ＲＳ伝送用サブフレームのうちＣＳＩ−ＲＳのリソース位置を決定するための第２決定ユニットと
を含むユーザ機器ＵＥ。
【請求項１２】
前記取得ユニットは、システムの協定または基地局から送信されるユーザ専用シグナリングに基づいて、ＣＳＩ−ＲＳのリソース位置を決定するためのＵＬ／ＤＬ構成情報を一種または複数種類のシグナリングによって取得する請求項１１に記載のユーザ機器。
【請求項１３】
前記取得ユニットは、
基地局から送信される放送シグナリング、基地局から送信される物理レイヤダウンリンクシグナリング、および基地局から送信されるユーザ専用のハイレイヤシグナリングの一種または複数種類によってＵＬ／ＤＬ構成情報を取得し、
放送シグナリングおよび／または物理レイヤダウンリンクシグナリングによってＵＬ／ＤＬ構成情報を取得するように前記ユーザ機器に指示するためのユーザ専用のハイレイヤシグナリングを基地局から受信し、
前記ユーザ専用のハイレイヤシグナリングによる指示に基づいて、放送シグナリングおよび／または物理レイヤダウンリンクシグナリングによってＵＬ／ＤＬ構成情報を取得する請求項１１または１２に記載のユーザ機器。
【請求項１４】
前記第１決定ユニットが前記ＵＬ／ＤＬ構成情報に基づいて決定したＣＳＩ−ＲＳ伝送用サブフレームのサブフレームタイプは、一種または複数種類であり、
前記第１決定ユニットが前記ＵＬ／ＤＬ構成情報に基づいて決定したＣＳＩ−ＲＳ伝送用サブフレームのサブフレームタイプが一種である場合、前記第２決定ユニットは、前記ＣＳＩ−ＲＳ伝送用サブフレームの単一種類のサブフレームタイプに基づいて、ＣＳＩ−ＲＳのリソース位置を決定し、
前記第１決定ユニットが前記ＵＬ／ＤＬ構成情報に基づいて決定したＣＳＩ−ＲＳ伝送用サブフレームのサブフレームタイプが複数種類である場合、前記第２決定ユニットは、前記複数種類のサブフレームタイプのそれぞれに基づいて、ＣＳＩ−ＲＳのリソース位置を決定して、サブフレームタイプ毎に対応するリソース位置集合を得るとともに、サブフレームタイプ毎に対応するＣＳＩ−ＲＳリソース位置集合を、ダウンリンク信号の受信または測定用のＣＳＩ−ＲＳリソース位置として決定する請求項１１〜１３のいずれか一項に記載のユーザ機器。
【請求項１５】
前記第２決定ユニットがサブフレームタイプ毎に対応するＣＳＩ−ＲＳリソース位置集合をダウンリンク信号の受信または測定用のＣＳＩ−ＲＳリソース位置として決定した後に、サブフレームタイプ毎に対応するＣＳＩ−ＲＳリソース位置集合のユニオン処理をして和集合を得、前記和集合でダウンリンク信号の受信または測定を行い、または、サブフレームタイプ毎に対応するＣＳＩ−ＲＳリソース位置集合でそれぞれダウンリンク信号の受信または測定を行うための信号処理モジュールをさらに含む請求項１４に記載のユーザ機器。
【発明の詳細な説明】
【技術分野】
【０００１】
本願は、２０１５年１０月２７日に中国特許庁に提出された中国特許出願２０１５１０７０８５５５．６および２０１５年１１月２日に中国特許庁に提出された中国特許出願２０１５１０７３３５５８．５の優先権を主張し、その全ての内容が援用により本願に取り込まれる。
【０００２】
本開示は、無線通信技術分野に係り、特にＣＳＩ−ＲＳ伝送リソースの決定方法および機器に係る。
【背景技術】
【０００３】
ＬＴＥ（Ｌｏｎｇ  Ｔｅｒｍ  Ｅｖｏｌｕｔｉｏｎ；長期的な進化）  Ｒｅｌｅａｓｅ  １０において、基地局がユーザ機器にＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ；チャネル状態情報参照信号）を設定する。それに対応して、基地局は、特定のサブフレームでＣＳＩ−ＲＳを伝送することができ、ユーザ機器は、ＣＳＩ−ＲＳに基づいてチャネル品質、例えばＰＭＩ（Ｐｒｅｃｏｄｉｎｇ  Ｍａｔｒｉｘ  Ｉｎｄｉｃａｔｏｒ；プリコード化マトリクス指標）、ＣＱＩ（Ｃｈａｎｎｅｌ  Ｑｕａｌｉｔｙ  Ｉｎｄｉｃａｔｏｒ；チャネル品質指標）またはＲＩ（Ｒａｎｋ  Ｉｎｄｉｃａｔｉｏｎ；ランク指標）の測定を行うことや、レートマッチングを行うことができる。
【０００４】
ＴＤＤ（Ｔｉｍｅ  Ｄｉｖｉｓｉｏｎ  Ｄｕｐｌｅｘｉｎｇ；時分割複信）システムにおいて、１つの無線フレームは、ノーマルのアップリンクサブフレーム、ノーマルのダウンリンクサブフレームおよびスペシャルサブフレーム（ダウンリンクサブフレームに属する）を含む。ノーマルサブフレームとスペシャルサブフレームがともにＣＳＩ−ＲＳの伝送に用いられるが、異なるタイプのサブフレームでは、ＣＳＩ−ＲＳの占有する物理リソースが異なる。したがって、ユーザ機器は、ＣＳＩ−ＲＳのリソース位置を決定するにあたり、ＣＳＩ−ＲＳ伝送用サブフレームがスペシャルサブフレームであるかノーマルのダウンリンクサブフレームであるかをまず決定する必要があり、さらにＣＳＩ−ＲＳのリソース位置を決定する。通常の場合、ＵＬ／ＤＬ構成によって、ノーマルのダウンリンクサブフレームであるかスペシャルサブフレームであるかのサブフレームタイプを決定することができる。現在のＬＴＥシステムでは、多種類の異なるＵＬ／ＤＬ構成に対応可能であり、場合によってはＵＬ／ＤＬ構成の動的変化に対応することもできる。
【０００５】
これによって、ＵＬ／ＤＬ構成からＣＳＩ−ＲＳのリソース位置を決定することは、解決が急がれる技術課題であることが分かる。
【発明の概要】
【発明が解決しようとする課題】
【０００６】
本開示の実施例は、ユーザ機器がＵＬ／ＤＬ構成からＣＳＩ−ＲＳのリソース位置を決定するために、ＣＳＩ−ＲＳ伝送リソースの決定方法および機器を提供する。
【課題を解決するための手段】
【０００７】
第１態様として、本開示の一実施例によるＣＳＩ−ＲＳ伝送リソースの決定方法において、ユーザ機器ＵＥが、ＣＳＩ−ＲＳのリソース位置を決定するためのＵＬ／ＤＬ構成情報を取得することと、前記ユーザ機器が、前記ＵＬ／ＤＬ構成情報に基づいて、ＣＳＩ−ＲＳ伝送用サブフレームのサブフレームタイプを決定することと、前記ユーザ機器が、決定されたサブフレームタイプに基づいて、前記ＣＳＩ−ＲＳ伝送用サブフレームのうちＣＳＩ−ＲＳのリソース位置を決定することとを含む。
【０００８】
その実施可能な一実施例において、前記ユーザ機器は、システムの協定または基地局から送信されるユーザ専用シグナリングに基づいて、ＣＳＩ−ＲＳのリソース位置を決定するためのＵＬ／ＤＬ構成情報を一種または複数種類のシグナリングによって取得する。
【０００９】
その実施可能な一実施例において、前記ユーザ機器は、基地局から送信される放送シグナリング、基地局から送信される物理レイヤダウンリンクシグナリング、および基地局から送信されるユーザ専用のハイレイヤシグナリングの一種または複数種類によってＵＬ／ＤＬ構成情報を取得する。
【００１０】
その実施可能な一実施例において、前記ユーザ機器は、放送シグナリングおよび／または物理レイヤダウンリンクシグナリングによってＵＬ／ＤＬ構成情報を取得するように前記ユーザ機器に指示するためのユーザ専用のハイレイヤシグナリングを基地局から受信し、前記ユーザ専用のハイレイヤシグナリングによる指示に基づいて、放送シグナリングおよび／または物理レイヤダウンリンクシグナリングによってＵＬ／ＤＬ構成情報を取得する。
【００１１】
その実施可能な一実施例において、前記ユーザ機器が前記ＵＬ／ＤＬ構成情報に基づいて決定したＣＳＩ−ＲＳ伝送用サブフレームのサブフレームタイプは、一種または複数種類である。
【００１２】
その実施可能な一実施例において、前記ユーザ機器は、前記ＵＬ／ＤＬ構成情報に基づいて決定したＣＳＩ−ＲＳ伝送用サブフレームのサブフレームタイプが一種である場合、前記ＣＳＩ−ＲＳ伝送用サブフレームの単一種類のサブフレームタイプに基づいて、ＣＳＩ−ＲＳのリソース位置を決定する。
【００１３】
その実施可能な一実施例において、前記ユーザ機器は、前記ＵＬ／ＤＬ構成情報に基づいて決定したＣＳＩ−ＲＳ伝送用サブフレームのサブフレームタイプが複数種類である場合、前記複数種類のサブフレームタイプのそれぞれに基づいて、ＣＳＩ−ＲＳのリソース位置を決定して、サブフレームタイプ毎に対応するリソース位置集合を得る。前記ユーザ機器は、サブフレームタイプ毎に対応するＣＳＩ−ＲＳリソース位置集合を、ダウンリンク信号の受信または測定用のＣＳＩ−ＲＳリソース位置として決定する。
【００１４】
その実施可能な一実施例において、前記ユーザ機器は、サブフレームタイプ毎に対応するＣＳＩ−ＲＳリソース位置集合をダウンリンク信号の受信または測定用のＣＳＩ−ＲＳリソース位置として決定した後に、サブフレームタイプ毎に対応するＣＳＩ−ＲＳリソース位置集合のユニオン処理をして和集合を得、前記和集合でダウンリンク信号の受信または測定を行い、または、サブフレームタイプ毎に対応するＣＳＩ−ＲＳリソース位置集合でそれぞれダウンリンク信号の受信または測定を行う。
【００１５】
その実施可能な一実施例において、前記ＣＳＩ−ＲＳ伝送用サブフレームは、１つの無線フレームのうちの第７個のサブフレームである。
【００１６】
その実施可能な一実施例において、前記ＣＳＩ−ＲＳは、ＺＰ  ＣＳＩ−ＲＳおよび／またはＮＺＰ  ＣＳＩ−ＲＳを含み、決定されたサブフレームタイプは、アップリンクのノーマルサブフレーム、ダウンリンクのノーマルサブフレームおよびスペシャルサブフレームのうちの少なくとも１つを含む。
【００１７】
第２態様として、本開示の一実施例によるユーザ機器は、ＣＳＩ−ＲＳのリソース位置を決定するためのＵＬ／ＤＬ構成情報を取得するための取得ユニットと、前記ＵＬ／ＤＬ構成情報に基づいて、ＣＳＩ−ＲＳ伝送用サブフレームのサブフレームタイプを決定するための第１決定ユニットと、決定されたサブフレームタイプに基づいて、前記ＣＳＩ−ＲＳ伝送用サブフレームのうちＣＳＩ−ＲＳのリソース位置を決定するための第２決定ユニットとを含む。
【００１８】
その実施可能な一実施例において、前記取得ユニットは、システムの協定または基地局から送信されるユーザ専用シグナリングに基づいて、ＣＳＩ−ＲＳのリソース位置を決定するためのＵＬ／ＤＬ構成情報を一種または複数種類のシグナリングによって取得する。
【００１９】
その実施可能な一実施例において、前記取得ユニットは、基地局から送信される放送シグナリング、基地局から送信される物理レイヤダウンリンクシグナリング、および基地局から送信されるユーザ専用のハイレイヤシグナリングの一種または複数種類によってＵＬ／ＤＬ構成情報を取得する。
【００２０】
その実施可能な一実施例において、前記取得ユニットは、放送シグナリングおよび／または物理レイヤダウンリンクシグナリングによってＵＬ／ＤＬ構成情報を取得するように前記ユーザ機器に指示するためのユーザ専用のハイレイヤシグナリングを基地局から受信し、前記ユーザ専用のハイレイヤシグナリングによる指示に基づいて、放送シグナリングおよび／または物理レイヤダウンリンクシグナリングによってＵＬ／ＤＬ構成情報を取得する。
【００２１】
その実施可能な一実施例において、前記第１決定ユニットが前記ＵＬ／ＤＬ構成情報に基づいて決定したＣＳＩ−ＲＳ伝送用サブフレームのサブフレームタイプは、一種または複数種類である。
【００２２】
その実施可能な一実施例において、前記第１決定ユニットが前記ＵＬ／ＤＬ構成情報に基づいて決定したＣＳＩ−ＲＳ伝送用サブフレームのサブフレームタイプが一種である場合、前記第２決定ユニットは、前記ＣＳＩ−ＲＳ伝送用サブフレームの単一種類のサブフレームタイプに基づいて、ＣＳＩ−ＲＳのリソース位置を決定する。
【００２３】
その実施可能な一実施例において、前記第１決定ユニットが前記ＵＬ／ＤＬ構成情報に基づいて決定したＣＳＩ−ＲＳ伝送用サブフレームのサブフレームタイプが複数種類である場合、前記第２決定ユニットは、前記複数種類のサブフレームタイプのそれぞれに基づいて、ＣＳＩ−ＲＳのリソース位置を決定して、サブフレームタイプ毎に対応するリソース位置集合を得るとともに、サブフレームタイプ毎に対応するＣＳＩ−ＲＳリソース位置集合を、ダウンリンク信号の受信または測定用のＣＳＩ−ＲＳリソース位置として決定する。
【００２４】
その実施可能な一実施例において、前記第２決定ユニットがサブフレームタイプ毎に対応するＣＳＩ−ＲＳリソース位置集合をダウンリンク信号の受信または測定用のＣＳＩ−ＲＳリソース位置として決定した後に、サブフレームタイプ毎に対応するＣＳＩ−ＲＳリソース位置集合のユニオン処理をして和集合を得、前記和集合でダウンリンク信号の受信または測定を行い、または、サブフレームタイプ毎に対応するＣＳＩ−ＲＳリソース位置集合でそれぞれダウンリンク信号の受信または測定を行うための信号処理モジュールをさらに含む。
【００２５】
その実施可能な一実施例において、前記ＣＳＩ−ＲＳ伝送用サブフレームは、１つの無線フレームのうちの第７個のサブフレームである。
【００２６】
その実施可能な一実施例において、前記ＣＳＩ−ＲＳは、ＺＰ  ＣＳＩ−ＲＳおよび／またはＮＺＰ  ＣＳＩ−ＲＳを含み、決定されたサブフレームタイプは、アップリンクのノーマルサブフレーム、ダウンリンクのノーマルサブフレームおよびスペシャルサブフレームのうちの少なくとも１つを含む。
【発明の効果】
【００２７】
本開示の上記具体的な実施例の少なくとも１つは、以下の有益な効果を有する。本開示の上記実施例において、ユーザ機器は、基地局から通知されるＵＬ／ＤＬ構成に基づいて、ＣＳＩ−ＲＳ伝送用サブフレームのサブフレームタイプを決定し、サブフレームタイプに基づいて当該サブフレームのうちＣＳＩ−ＲＳのリソース位置を決定することによって、ＵＬ／ＤＬ構成からＣＳＩ−ＲＳのリソース位置を決定することが実現される。
【図面の簡単な説明】
【００２８】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしないという前提で、これらの図面から他の図面を得ることもできる。
【００２９】
【図１】本開示の実施例によるＣＳＩ−ＲＳ伝送リソースの決定方法のフローチャートである。
【図２】本開示の実施例によるユーザ機器の構造模式図である。
【図３】本開示の別の実施例によるユーザ機器の構造模式図である。
【発明を実施するための形態】
【００３０】
以下、本開示の具体的な実施形態を図面と実施例にて更に記載する。以下の実施例は、単に本開示の説明に用いられ、本開示の範囲を限定するためのものではない。
【００３１】
本開示の実施例の目的、技術手段及び利点をより明確にするために、以下、本開示の実施例の図面にて本開示の実施例の技術手段を明確且つ完全に記載する。明らかに、記載する実施例は、本開示の実施例の一部であり、全てではない。記載する本開示の実施例に基づき、当業者が為しえる全ての実施例は、いずれも本開示の保護範囲に属するものである。
【００３２】
別途に定義することを除き、ここで使用される技術用語や科学用語は、本開示の所属する分野の一般技能を持つ者に理解される通常の意味である。本開示の明細書及び特許請求の範囲に使用される「第１」、「第２」及び類似用語は、単に異なる構成部分を区別するためのものであり、順番、数量又は重要度を一切表さない。同様に、「１つ」又は「一」など類似用語は、少なくとも１つ存在することを表し、数の限定ではない。「接続」や「連結」など類似用語は、物理や機械的接続に限定するのではなく、直接か間接かを関係なしに電気的接続も含む。「上」、「下」、「左」、「右」などは、単に相対的位置関係を表すものであり、記載対象の絶対位置が変わると、当該相対的位置関係も対応的に変わる。
【００３３】
本開示の目的、技術手段及び利点をより明確にするために、以下、図面とともに本開示をさらに記載する。明らかに、記載する実施例は、本開示の実施例の一部であり、全てではない。本開示の実施例に基づき、当業者が創造性のある作業を付することなく為しえる全ての実施例は、いずれも本開示の保護範囲に属するものである。
【００３４】
図１は、本開示の実施例によるＣＳＩ−ＲＳ伝送リソースの決定方法のフローチャートである。図１に示すように、当該方法は、下記ステップ１０１〜ステップ１０３を含む。
【００３５】
ステップ１０１において、ユーザ機器は、ＣＳＩ−ＲＳのリソース位置を決定するためのＵＬ／ＤＬ構成情報を取得する。
【００３６】
具体的に、ユーザ機器は、システムの協定または基地局から送信されるユーザ専用シグナリングに基づいて、ＣＳＩ−ＲＳのリソース位置を決定するためのＵＬ／ＤＬ構成情報を一種または複数種類のシグナリングによって取得する。
【００３７】
具体的に、基地局は、例えば下記方式１〜方式３によって、ユーザ機器のＵＬ／ＤＬ構成情報を通知する。
【００３８】
方式１において、基地局は、放送シグナリングによって、ユーザ機器のＵＬ／ＤＬ構成を通知する。
【００３９】
方式２において、基地局は、物理レイヤダウンリンクシグナリングによって、前記ユーザ機器のＵＬ／ＤＬ構成を通知する。前記物理レイヤダウンリンクシグナリングは、ＰＤＣＣＨ（Ｐｈｙｓｉｃａｌ  Ｄｏｗｎｌｉｎｋ  Ｃｏｎｔｒｏｌ  Ｃｈａｎｎｅｌ；物理ダウンリンク制御チャネル）に搬送されるＤＣＩ（Ｄｏｗｎｌｉｎｋ  Ｃｏｎｔｒｏｌ  Ｉｎｆｏｒｍａｔｉｏｎ；ダウンリンク制御情報）であってもよい。
【００４０】
方式３において、基地局は、ハイレイヤシグナリングによってユーザ機器のＵＬ／ＤＬ構成を通知する。それに対応して、前記ハイレイヤシグナリングは、放送シグナリングまたは物理レイヤダウンリンクシグナリングによる前記ユーザ機器のＵＬ／ＤＬ構成の通知を指示する。
【００４１】
基地局は、上記方式の１つによって前記ユーザ機器のＵＬ／ＤＬ構成を通知してもよく、上記複数種類の方式によって前記ユーザ機器のＵＬ／ＤＬ構成を通知してもよい。例えば、動的ＴＤＤ伝送メカニズムが許容されないシナリオにおいて、基地局は、放送シグナリングのみによってユーザ機器のＵＬ／ＤＬ構成を通知する。また例えば、動的ＴＤＤ伝送メカニズムが許容されるシナリオにおいて、基地局は、放送シグナリングによってユーザ機器のＵＬ／ＤＬ構成を通知し、続いて物理レイヤ動的シグナリング（例えばＤＣＩ）によって１つのＵＬ／ＤＬ構成を指示する。それに対応して、ユーザ機器は、動的に指示されるＵＬ／ＤＬ構成に基づいてデータを送受信することができる。
【００４２】
それに対応して、ユーザ機器は、基地局から送信される放送シグナリング、基地局から送信される物理レイヤダウンリンクシグナリングおよび基地局から送信されるユーザ専用のハイレイヤシグナリングの一種または複数種類によってＵＬ／ＤＬ構成情報を取得する。
【００４３】
例えば、システムにおいて、ユーザ機器が放送シグナリングから取得したＵＬ／ＤＬ構成情報のみに基づいてＣＳＩ−ＲＳのリソース位置を決定すると協定される。または、システムにおいて、ユーザ機器がＤＣＩから取得したＵＬ／ＤＬ構成情報のみに基づいてＣＳＩ−ＲＳのリソース位置を決定すると協定される。または、システムにおいて、ユーザ機器が放送シグナリングと物理レイヤダウンリンクシグナリングから取得したＵＬ／ＤＬ構成情報に基づいてＣＳＩ−ＲＳのリソース位置を決定すると協定される。また、例えば、基地局は、放送シグナリングまたは物理レイヤダウンリンクシグナリングから取得したＵＬ／ＤＬ構成情報に基づいてＣＳＩ−ＲＳのリソース位置を決定するように、ユーザ専用のＲＲＣ（Ｒａｄｉｏ  Ｒｅｓｏｕｒｃｅ  Ｃｏｎｔｒｏｌ；無線リソース制御）シグナリングによってユーザ機器に通知する。
【００４４】
ここで、ユーザ機器は、基地局から送信されるユーザ専用ハイレイヤシグナリングによってＵＬ／ＤＬ構成情報を取得することは、具体的に、放送シグナリングおよび／または物理レイヤダウンリンクシグナリングからＵＬ／ＤＬ構成情報の取得をユーザ機器に指示するためのユーザ専用のハイレイヤシグナリングを基地局から受信し、さらに、前記ユーザ専用のハイレイヤシグナリングによる指示に基づいて、放送シグナリングまたは物理レイヤダウンリンクシグナリングによってＵＬ／ＤＬ構成情報を取得する。
【００４５】
ステップ１０２において、ユーザ機器は、ステップ１０１で取得したＵＬ／ＤＬ構成情報に基づいて、ＣＳＩ−ＲＳ伝送用サブフレームのサブフレームタイプを決定する。
【００４６】
例えば、５ミリ秒を周期とすると、基地局は、５個のサブフレームおきにＣＳＩ−ＲＳを送信する。ユーザ機器側において、特定のサブフレーム（すなわちＣＳＩ−ＲＳ伝送用のサブフレーム）のみに対し、本開示の実施例による方式でサブフレームタイプを決定し、さらにＣＳＩ−ＲＳのリソース位置を決定する。通常の場合、同一タイプのサブフレームにおいて、ＣＳＩ−ＲＳのリソース位置は、当該サブフレーム内で一定である。しかし、実際の必要性に応じて、ＣＳＩ−ＲＳのリソース位置は、当該サブフレーム内で動的に変化してもよい。本開示では、これについて限定しない。
【００４７】
ユーザ機器がＵＬ／ＤＬ構成情報に基づいて決定したＣＳＩ−ＲＳ伝送用サブフレームのサブフレームタイプは、一種または複数種類である。例えば、ユーザ機器は、基地局から送信される放送シグナリング、物理レイヤダウンリンクシグナリングおよびハイレイヤシグナリングのうちの１つのみからＵＬ／ＤＬ構成を取得するのであれば、決定したＣＳＩ−ＲＳ伝送用サブフレームのサブフレームタイプは、一種のみである。ユーザ機器は、基地局から送信される放送シグナリング、物理レイヤダウンリンクシグナリングおよびハイレイヤシグナリングのうちの複数種類のシグナリングからＵＬ／ＤＬ構成を取得し、かつ前記複数種類のシグナリングで当該ユーザ機器に通知されるＵＬ／ＤＬ構成が同一であれば、決定したＣＳＩ−ＲＳ伝送用サブフレームのサブフレームタイプも、一種のみである。ユーザ機器は、基地局から送信される放送シグナリング、物理レイヤダウンリンクシグナリングおよびハイレイヤシグナリングのうちの複数種類のシグナリングからＵＬ／ＤＬ構成を取得し、かつ前記複数種類のシグナリングで当該ユーザ機器に通知されるＵＬ／ＤＬ構成が異なるであれば、決定したＣＳＩ−ＲＳ伝送用サブフレームのサブフレームタイプは、多種類になることがある。
【００４８】
ＬＴＥシステムで７種類の異なるＵＬ／ＤＬ構成に対応することを例とする。下記表１に示すように、Ｕは、アップリンクのノーマルサブフレームを示し、Ｄは、ダウンリンクのノーマルサブフレームを示し、Ｓは、スペシャルサブフレームを示す。
【００４９】
【表１】
0006605136.tif 000002
【００５０】
表１は、基地局とユーザ機器に予め設定されてもよい。基地局は、ユーザ機器のＵＬ／ＤＬ構成情報を通知する際に、表１におけるＵＬ／ＤＬ構成ＩＤを送信すればよい。ユーザ機器は、ＵＬ／ＤＬ構成ＩＤから、対応するＵＬ／ＤＬ構成を取得することができる。
【００５１】
ステップ１０３において、ユーザ機器は、決定されたサブフレームタイプに基づいて、前記ＣＳＩ−ＲＳ伝送用サブフレームのうちＣＳＩ−ＲＳのリソース位置を決定する。
【００５２】
ユーザ機器は、ＵＬ／ＤＬ構成情報に基づいて決定したＣＳＩ−ＲＳ伝送用サブフレームのサブフレームタイプが一種のみである場合、当該ＣＳＩ−ＲＳ伝送用サブフレームの単一種類のサブフレームタイプに基づいて、ＣＳＩ−ＲＳのリソース位置を決定する。
【００５３】
また、ユーザ機器は、ＵＬ／ＤＬ構成情報に基づいて決定したＣＳＩ−ＲＳ伝送用サブフレームのサブフレームタイプが複数種類である場合、前記複数種類のサブフレームタイプのそれぞれに基づいて、ＣＳＩ−ＲＳのリソース位置を決定して、サブフレームタイプ毎に対応するリソース位置集合を得る。前記ユーザ機器は、サブフレームタイプ毎に対応するＣＳＩ−ＲＳリソース位置集合を、ダウンリンク信号の受信または測定用のＣＳＩ−ＲＳリソース位置として決定する。
【００５４】
さらに、ユーザ機器は、サブフレームタイプ毎に対応するＣＳＩ−ＲＳリソース位置集合をダウンリンク信号の受信または測定用のＣＳＩ−ＲＳリソース位置として決定した後に、下記２種類の方式でダウンリンク信号の受信または測定を実現することができる。
【００５５】
方式１：ユーザ機器は、サブフレームタイプ毎に対応するＣＳＩ−ＲＳリソース位置集合のユニオン処理をして和集合を得、当該和集合でダウンリンク信号の受信または測定を行う。
【００５６】
方式２：ユーザ機器は、サブフレームタイプ毎に対応するＣＳＩ−ＲＳリソース位置集合でそれぞれダウンリンク信号の受信または測定を行う。
【００５７】
例えば、ノーマルサブフレームに対応するＣＳＩ−ＲＳのリソース位置集合をＡ、スペシャルサブフレームに対応するＣＳＩ−ＲＳのリソース位置集合をＢとする。ユーザ機器は、方式１によってダウンリンク信号の受信または測定を行い、すなわち集合Ａと集合Ｂとの和集合Ｃ（すなわち集合Ｃは集合Ａと集合Ｂとの和集合である）をＣＳＩ−ＲＳリソース位置集合とする場合、和集合Ｃでダウンリンク信号の受信または測定を行って１つの測定結果を得る。ユーザ機器は、方式２によってダウンリンク信号の受信または測定を行い、すなわち、集合Ａと集合Ｂでそれぞれダウンリンク信号の受信または測定を行うと、２つの測定結果（集合Ａと集合Ｂにそれぞれ対応する測定結果を含む）を得る。
【００５８】
ＬＴＥシステムで７種類の異なるＵＬ／ＤＬ構成に対応することを例とする。サブフレーム６（無線サブフレームシーケンスではサブフレーム番号が０から始まるため、第７個のサブフレームである。）は、異なるＵＬ／ＤＬ構成において異なるサブフレームタイプを有する。例えば、ＵＬ／ＤＬ構成０では、サブフレーム６は、スペシャルサブフレームである。また、例えば、ＵＬ／ＤＬ構成３では、サブフレーム６は、ノーマルのダウンリンクサブフレームである。一方、サブフレーム０など、他のサブフレームは、異なるＵＬ／ＤＬ構成においていずれもノーマルのダウンリンクサブフレームである。したがって、サブフレーム６のみにおいて、ユーザ機器がＵＬ／ＤＬ構成情報に基づいて決定したＣＳＩ−ＲＳ伝送用サブフレームのサブフレームタイプが複数種類になることがある。さらに、本開示の実施例において、サブフレーム６に対し、上記方法によってサブフレーム６でのＣＳＩ−ＲＳのリソース位置を決定する。
【００５９】
前記ＣＳＩ−ＲＳは、ＺＰ  ＣＳＩ−ＲＳおよび／またはＮＺＰ  ＣＳＩ−ＲＳを含む。ＬＴＥシステムにおいて、基地局は、ＵＥによるダウンリンクＣＳＩ−ＲＳ測定用のＮＺＰ  ＣＳＩ−ＲＳ（Ｎｏｎ−ｚｅｒｏ−ｐｏｗｅｒ  ＣＳＩ−ＲＳ；ノンゼロパワーＣＳＩ−ＲＳ）と、レートマッチングのためにデータ伝送に用いられない物理リソースをＵＥに指示するためのＺＰ  ＣＳＩ−ＲＳ（Ｚｅｒｏ−ｐｏｗｅｒ  ＣＳＩ−ＲＳ；ゼロパワーＣＳＩ−ＲＳ）の２種類のタイプのＣＳＩ−ＲＳをＵＥにそれぞれ設定することができる。
【００６０】
本開示の上記実施例において、ユーザ機器ＵＥは、基地局から通知されるＵＬ／ＤＬ構成に基づいて、ＣＳＩ−ＲＳ伝送用サブフレームのサブフレームタイプを決定し、サブフレームタイプに基づいて、当該サブフレームのうちＣＳＩ−ＲＳのリソース位置を決定する。したがって、本開示の実施例は、基地局から複数種類のシグナリングでユーザ機器のＵＬ／ＤＬ構成を指示しかつ複数種類のシグナリングに指示されるＵＬ／ＤＬ構成が異なる場合、ユーザ機器がどのようにしてより好適にＣＳＩ−ＲＳ伝送用サブフレームのサブフレームタイプを決定し、さらにＣＳＩ−ＲＳ伝送用サブフレームのうちＣＳＩ−ＲＳのリソース位置を決定するかという技術課題を解決する。
【００６１】
本開示の上記実施例をより明確に理解するために、以下、具体的な応用シナリオを例として、本開示の上記実施例の具体的な実施過程を記載する。
【００６２】
ユーザ機器は、基地局から送信される放送シグナリングによってＵＬ／ＤＬ構成情報を取得し、ＵＬ／ＤＬ構成情報に基づいて、ＣＳＩ−ＲＳ伝送用サブフレームのサブフレームタイプが表１に示されているＵＬ／ＤＬ構成１であると決定する。この場合、サブフレーム１とサブフレーム６は、スペシャルサブフレームであり、他はノーマルサブフレームである。当該ユーザ機器が動的ＴＤＤ機能に対応し、すなわち基地局から物理レイヤ動的シグナリングによって送信されるＵＬ／ＤＬ構成を取得することができる場合、当該物理レイヤ動的シグナリングに指示されるＵＬ／ＤＬ構成は、放送シグナリングに指示されるＵＬ／ＤＬ構成とは同一である可能性もあるし、異なる可能性もある。物理レイヤ動的シグナリングによって表１に示されているＵＬ／ＤＬ構成３が指示されると、サブフレーム１は、スペシャルサブフレームであり、他はノーマルサブフレームである。
【００６３】
例１：物理レイヤ動的シグナリングと放送シグナリングに指示されるＵＬ／ＤＬ構成が異なる場合、当該ユーザ機器は、基地局との間で協定済みのシグナリングに指示されるＵＬ／ＤＬ構成に基づいて、ＣＳＩ−ＲＳ伝送用サブフレームのうちＣＳＩ−ＲＳのリソース位置を決定してもよく、基地局から送信される１ビットのＲＲＣシグナリングに基づいて、物理レイヤ動的シグナリングまたは放送シグナリングに指示されるＵＬ／ＤＬ構成を決定して、ＣＳＩ−ＲＳ伝送用サブフレームのうちＣＳＩ−ＲＳのリソース位置を決定してもよい。
【００６４】
当該ユーザ機器は、基地局との間の協定または基地局のＲＲＣシグナリングに基づいて、放送シグナリングに指示されるＵＬ／ＤＬ構成を決定して、ＣＳＩ−ＲＳ伝送用サブフレームのうちＣＳＩ−ＲＳのリソース位置を決定する場合、ＵＬ／ＤＬ構成１に基づいて、サブフレーム６がスペシャルサブフレームであると決定する。当該ユーザ機器は、現在のＣＳＩ−ＲＳのリソースに基づいてスペシャルサブフレームでのリソース位置を設定し、サブフレーム６でのＣＳＩ−ＲＳのリソース位置を決定する。さらに、当該ユーザ機器は、決定されたＣＳＩ−ＲＳのリソース位置に基づいて、サブフレーム６のダウンリンクチャネル測定またはダウンリンク干渉測定を行う。
【００６５】
例２：物理レイヤ動的シグナリングと放送シグナリングに指示されるＵＬ／ＤＬ構成が異なる場合、当該ユーザ機器は、物理レイヤ動的シグナリングと放送シグナリングに指示されるＵＬ／ＤＬ構成に基づいて、それぞれＣＳＩ−ＲＳ伝送用サブフレームのうちＣＳＩ−ＲＳのリソース位置を決定する。
【００６６】
当該ユーザ機器は、放送シグナリングに通知されるＵＬ／ＤＬ構成１に基づいて、サブフレーム６がスペシャルサブフレームであると決定し、現在のＣＳＩ−ＲＳのリソースに基づいてスペシャルサブフレームでのリソース位置を設定し、サブフレーム６でのＣＳＩ−ＲＳのリソース集合Ａを決定する。また、物理レイヤ動的シグナリングに指示されるＵＬ／ＤＬ構成３に基づいて、サブフレーム６がノーマルサブフレームであると決定し、現在のＣＳＩ−ＲＳのリソースに基づいてノーマルサブフレームでのリソース位置を設定し、サブフレーム６でのＣＳＩ−ＲＳのリソース集合Ｂを決定する。
【００６７】
当該ＣＳＩ−ＲＳがＺＰ  ＣＳＩ−ＲＳであれば、当該ユーザ機器は、リソース集合ＡとＢの両方をＺＰ  ＣＳＩ−ＲＳのリソース位置とし、リソース集合ＡとＢに対応する物理リソースの両方でダウンリンクチャネルの測定を行わず、または、リソース集合ＡとＢに対応する物理リソースの両方でダウンリンク干渉測定を行う。
【００６８】
また、当該ＣＳＩ−ＲＳがＮＺＰ  ＣＳＩ−ＲＳであれば、当該ユーザ機器は、リソース集合ＡとＢでそれぞれダウンリンクチャネルの測定を行って、測定結果をダウンリンクＣＳＩの取得に用いる。
【００６９】
図２は、本開示の実施例によるユーザ機器の構造模式図である。図２に示すように、前記ユーザ機器は、具体的に取得ユニット２０１と、第１決定ユニット２０２と、第２決定ユニット２０３とを含み、さらに信号処理ユニット２０４を含んでもよい。
【００７０】
取得ユニット２０１は、ＣＳＩ−ＲＳのリソース位置を決定するためのＵＬ／ＤＬ構成情報を取得する。第１決定ユニット２０２は、前記ＵＬ／ＤＬ構成情報に基づいて、ＣＳＩ−ＲＳ伝送用サブフレームのサブフレームタイプを決定する。第２決定ユニット２０３は、決定されたサブフレームタイプに基づいて、前記ＣＳＩ−ＲＳ伝送用サブフレームのうちＣＳＩ−ＲＳのリソース位置を決定する。信号処理ユニット２０４は、サブフレームタイプ毎に対応するＣＳＩ−ＲＳリソース位置集合の和集合でダウンリンク信号の受信または測定を行い、または、サブフレームタイプ毎に対応するＣＳＩ−ＲＳリソース位置集合でそれぞれダウンリンク信号の受信または測定を行う。
【００７１】
具体的に、取得ユニット２０１は、システムの協定または基地局から送信されるユーザ専用シグナリングに基づいて、ＣＳＩ−ＲＳのリソース位置を決定するためのＵＬ／ＤＬ構成情報を一種または複数種類のシグナリングによって取得する。
【００７２】
基地局は、下記数種類の方式によって、前記ユーザ機器のＵＬ／ＤＬ構成情報を通知する。
【００７３】
方式１において、基地局は、放送シグナリングによって、ユーザ機器のＵＬ／ＤＬ構成を通知する。
【００７４】
方式２において、基地局は、物理レイヤダウンリンクシグナリングによって、前記ユーザ機器のＵＬ／ＤＬ構成を通知する。前記物理レイヤダウンリンクシグナリングは、ＰＤＣＣＨに搬送されるＤＣＩであってもよい。
【００７５】
方式３において、基地局は、ハイレイヤシグナリングによって前記ユーザ機器のＵＬ／ＤＬ構成を通知する。前記ハイレイヤシグナリングは、放送シグナリングまたは物理レイヤダウンリンクシグナリングによる前記ユーザ機器のＵＬ／ＤＬ構成の通知を指示する。
【００７６】
基地局は、上記方式の１つによって前記ユーザ機器のＵＬ／ＤＬ構成を通知してもよく、上記複数種類の方式によって前記ユーザ機器のＵＬ／ＤＬ構成を通知してもよい。例えば、動的ＴＤＤ伝送メカニズムが許容されないシナリオにおいて、基地局は、放送シグナリングのみによってユーザ機器のＵＬ／ＤＬ構成を通知する。また、例えば、動的ＴＤＤ伝送メカニズムが許容されるシナリオにおいて、基地局は、放送シグナリングによってユーザ機器のＵＬ／ＤＬ構成を通知し、続いて物理レイヤ動的シグナリング（例えばＤＣＩ）によって１つのＵＬ／ＤＬ構成を指示する。それに対応して、ユーザ機器は、動的に指示されるＵＬ／ＤＬ構成に基づいてデータを送受信することができる。
【００７７】
それに対応して、前記ユーザ機器の取得ユニット２０１は、基地局から送信される放送シグナリング、基地局から送信される物理レイヤダウンリンクシグナリングおよび基地局から送信されるユーザ専用のハイレイヤシグナリングの一種または複数種類によってＵＬ／ＤＬ構成情報を取得する。
【００７８】
例えば、システムにおいて、ユーザ機器が放送シグナリングから取得したＵＬ／ＤＬ構成情報のみに基づいてＣＳＩ−ＲＳのリソース位置を決定すると協定される。または、システムにおいて、ユーザ機器がＤＣＩから取得したＵＬ／ＤＬ構成情報のみに基づいてＣＳＩ−ＲＳのリソース位置を決定すると協定される。または、システムにおいて、ユーザ機器が放送シグナリングとＤＣＩから取得したＵＬ／ＤＬ構成情報に基づいてＣＳＩ−ＲＳのリソース位置を決定すると協定される。また、例えば、基地局は、放送シグナリングまたはＤＣＩから取得したＵＬ／ＤＬ構成情報に基づいてＣＳＩ−ＲＳのリソース位置を決定するように、ユーザ専用のＲＲＣシグナリングによってユーザ機器に通知する。
【００７９】
ここで、取得ユニットが、基地局から送信されるユーザ専用ハイレイヤシグナリングによってＵＬ／ＤＬ構成情報を取得することは、具体的に、放送シグナリングおよび／または物理レイヤダウンリンクシグナリングによるＵＬ／ＤＬ構成情報の取得を取得ユニットに指示するためのユーザ専用のハイレイヤシグナリングを基地局から受信する。取得ユニットは、前記ユーザ専用のハイレイヤシグナリングによる指示に基づいて、放送シグナリングまたは物理レイヤダウンリンクシグナリングによってＵＬ／ＤＬ構成情報を取得する。
【００８０】
具体的に、第１決定ユニット２０２がＵＬ／ＤＬ構成情報に基づいて決定したＣＳＩ−ＲＳ伝送用サブフレームのサブフレームタイプは、一種または複数種類である。例えば、取得ユニット２０１が基地局から送信される放送シグナリング、物理レイヤダウンリンクシグナリングおよびハイレイヤシグナリングのうちの１つのみによってＵＬ／ＤＬ構成を取得するのであれば、第１決定ユニット２０２が決定したＣＳＩ−ＲＳ伝送用サブフレームのサブフレームタイプは、一種のみである。また、取得ユニット２０１が基地局から送信される放送シグナリング、物理レイヤダウンリンクシグナリングおよびハイレイヤシグナリングのうちの複数種類のシグナリングによってＵＬ／ＤＬ構成を取得し、かつ前記複数種類のシグナリングで当該ユーザ機器に通知されるＵＬ／ＤＬ構成が同一であれば、第１決定ユニット２０２が決定したＣＳＩ−ＲＳ伝送用サブフレームのサブフレームタイプも、一種のみである。また、取得ユニット２０１が基地局から送信される放送シグナリング、物理レイヤダウンリンクシグナリングおよびハイレイヤシグナリングのうちの複数種類のシグナリングによってＵＬ／ＤＬ構成を取得し、かつ前記複数種類のシグナリングで当該ユーザ機器に通知されるＵＬ／ＤＬ構成が異なるであれば、第１決定ユニット２０２が決定したＣＳＩ−ＲＳ伝送用サブフレームのサブフレームタイプは、多種類になることがある。
【００８１】
第１決定ユニット２０２がＵＬ／ＤＬ構成情報に基づいて決定したＣＳＩ−ＲＳ伝送用サブフレームのサブフレームタイプが一種のみである場合、第２決定ユニット２０３は、当該ＣＳＩ−ＲＳ伝送用サブフレームの単一種類のサブフレームタイプに基づいて、ＣＳＩ−ＲＳのリソース位置を決定する。
【００８２】
第１決定ユニット２０２がＵＬ／ＤＬ構成情報に基づいて決定したＣＳＩ−ＲＳ伝送用サブフレームのサブフレームタイプが複数種類である場合、第２決定ユニット２０３は、前記複数種類のサブフレームタイプのそれぞれに基づいて、ＣＳＩ−ＲＳのリソース位置を決定して、サブフレームタイプ毎に対応するリソース位置集合を得る。第２決定ユニット２０３は、サブフレームタイプ毎に対応するＣＳＩ−ＲＳリソース位置集合を、ダウンリンク信号の受信または測定用のＣＳＩ−ＲＳリソース位置として決定する。
【００８３】
具体的に、第２決定ユニット２０３がサブフレームタイプ毎に対応するＣＳＩ−ＲＳリソース位置集合をダウンリンク信号の受信または測定用のＣＳＩ−ＲＳリソース位置として決定した後に、信号処理ユニット２０４は、下記２種類の方式でダウンリンク信号の受信または測定を実現することができる。
【００８４】
方式１：サブフレームタイプ毎に対応するＣＳＩ−ＲＳリソース位置集合のユニオン処理をして和集合を得、当該和集合でダウンリンク信号の受信または測定を行う。
【００８５】
方式２：サブフレームタイプ毎に対応するＣＳＩ−ＲＳリソース位置集合でそれぞれダウンリンク信号の受信または測定を行う。
【００８６】
例えば、ノーマルサブフレームに対応するＣＳＩ−ＲＳのリソース位置集合をＡ、スペシャルサブフレームに対応するＣＳＩ−ＲＳのリソース位置集合をＢとする。ユーザ機器は、方式１によってダウンリンク信号の受信または測定を行い、すなわち、集合Ａと集合Ｂとの和集合Ｃ（すなわち集合Ｃは集合Ａと集合Ｂとの和集合である）をＣＳＩ−ＲＳリソース位置集合とする場合、和集合Ｃでダウンリンク信号の受信または測定を行って１つの測定結果を得る。ユーザ機器は、方式２によってダウンリンク信号の受信または測定を行い、すなわち、集合Ａと集合Ｂでそれぞれダウンリンク信号の受信または測定を行うと、２つの測定結果（集合Ａと集合Ｂにそれぞれ対応する測定結果を含む）を得る。
【００８７】
ＬＴＥシステムで７種類の異なるＵＬ／ＤＬ構成に対応することを例とする。サブフレーム６（無線サブフレームシーケンスではサブフレーム番号が０から始まるため、第７個のサブフレームである。）は、異なるＵＬ／ＤＬ構成において異なるサブフレームタイプを有する。例えば、ＵＬ／ＤＬ構成０では、サブフレーム６は、スペシャルサブフレームである。ＵＬ／ＤＬ構成３では、サブフレーム６は、ノーマルのダウンリンクサブフレームである。一方、サブフレーム０など、他のサブフレームは、異なるＵＬ／ＤＬ構成においていずれもノーマルのダウンリンクサブフレームである。したがって、サブフレーム６のみにおいて、ユーザ機器がＵＬ／ＤＬ構成情報に基づいて決定したＣＳＩ−ＲＳ伝送用サブフレームのサブフレームタイプが複数種類になることがある。さらに、本開示の実施例において、サブフレーム６に対し、上記方法によってサブフレーム６でのＣＳＩ−ＲＳのリソース位置を決定する。
【００８８】
前記ＣＳＩ−ＲＳは、ＺＰ  ＣＳＩ−ＲＳおよび／またはＮＺＰ  ＣＳＩ−ＲＳを含む。
【００８９】
本開示の上記実施例において、ユーザ機器は、基地局から通知されるＵＬ／ＤＬ構成に基づいて、ＣＳＩ−ＲＳ伝送用サブフレームのサブフレームタイプを決定し、サブフレームタイプに基づいて、当該サブフレームのうちＣＳＩ−ＲＳのリソース位置を決定する。基地局から複数種類のシグナリングでユーザ機器のＵＬ／ＤＬ構成を指示し、かつ複数種類のシグナリングに指示されるＵＬ／ＤＬ構成が異なる場合、ユーザ機器がどのようにしてＣＳＩ−ＲＳ伝送用サブフレームのサブフレームタイプを決定し、さらにＣＳＩ−ＲＳ伝送用サブフレームのうちＣＳＩ−ＲＳのリソース位置を決定するかという技術課題を解決する。
【００９０】
同一の技術思想に基づいて、本開示の実施例は、本開示の実施例のＣＳＩ−ＲＳ伝送リソースの決定フローを実現することができる装置をさらに提供する。
【００９１】
図３は、本開示の実施例による装置の構造模式図である。当該装置は、プロセッサ３０１と、メモリ３０２と、トランシーバ３０３と、バスインタフェースを含む。
【００９２】
プロセッサ３０１は、バスアーキテクチャと通常の処理を管理する。メモリ３０２は、プロセッサ３０１による操作実行時に使用されるデータを記憶できる。トランシーバ３０３は、プロセッサ３０１による制御でデータを送受信する。
【００９３】
バスアーキテクチャは、任意数の相互接続するバスとブリッジを含み、具体的に、プロセッサ３０１をはじめとする１つ又は複数のプロセッサとメモリ３０２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ３０３は、複数の部品であってもよく、即ち送信機と受信機を含み、伝送媒体でほかの各種類の装置と通信するユニットとして提供される。プロセッサ３０１は、バスアーキテクチャと通常の処理を管理する。メモリ３０２は、プロセッサ３０１による操作実行時に使用されるデータを記憶できる。
【００９４】
本開示の実施例によるＣＳＩ−ＲＳ伝送リソースの決定フローは、プロセッサ３０１に応用可能であり、またはプロセッサ３０１によって実現される。実現過程において、ＣＳＩ−ＲＳ伝送リソースの決定フローの各ステップは、プロセッサ３０１におけるハードウェアの集積論理回路またはソフトウェア形式の指令によって遂行される。プロセッサ３０１は、汎用プロセッサ、デジタル信号プロセッサ、専用集積回路、ＦＰＧＡまたは他のプログラマブル論理デバイス、個別的なゲートまたはトランジスタ論理デバイス、個別的なハードウェアコンポーネントであり、本開示の実施例における各方法、ステップおよび論理ブロック図を実現または実行することができる。汎用プロセッサは、マイクロプロセッサまたは任意の通常プロセッサなどである。本開示の実施例による方法のステップは、直接ハードウェアのプロセッサによって実行されて遂行されるか、プロセッサにおけるハードウェアおよびソフトウェアモジュールの組み合わせによって実行されて遂行される。ソフトウェアモジュールは、ＲＡＭ、フラッシュメモリ、ＲＯＭ、ＰＲＯＭまたはＥＥＰＲＯＭ、レジスタなど本分野の周知の記憶媒体に位置する。当該記憶媒体は、メモリ３０２に位置する。プロセッサ３０１は、メモリ３０２における情報を読み取って、そのハードウェアと組み合わせてＣＳＩ−ＲＳ伝送リソースの決定フローのステップを遂行する。
【００９５】
具体的に、プロセッサ３０１は、メモリ３０２のプログラムを読み取ることによって、ＣＳＩ−ＲＳのリソース位置を決定するためのＵＬ／ＤＬ構成情報を取得することと、前記ＵＬ／ＤＬ構成情報に基づいて、ＣＳＩ−ＲＳ伝送用サブフレームのサブフレームタイプを決定することと、決定されたサブフレームタイプに基づいて、前記ＣＳＩ−ＲＳ伝送用サブフレームのうちＣＳＩ−ＲＳのリソース位置を決定することとを実行する。
【００９６】
具体的に、ユーザ機器は、システムの協定または基地局から送信されるユーザ専用シグナリングに基づいて、ＣＳＩ−ＲＳのリソース位置を決定するためのＵＬ／ＤＬ構成情報を一種または複数種類のシグナリングによって取得する。
【００９７】
具体的に、基地局から送信される放送シグナリング、基地局から送信される物理レイヤダウンリンクシグナリングおよび基地局から送信されるユーザ専用のハイレイヤシグナリングの一種によってＵＬ／ＤＬ構成情報を取得する。
【００９８】
ここで、ユーザ機器は、基地局から送信されるユーザ専用ハイレイヤシグナリングによってＵＬ／ＤＬ構成情報を取得することは、具体的に、放送シグナリングおよび／または物理レイヤダウンリンクシグナリングによるＵＬ／ＤＬ構成情報の取得をユーザ機器に指示するためのユーザ専用のハイレイヤシグナリングを基地局から受信する。ユーザ機器は、前記ユーザ専用のハイレイヤシグナリングによる指示に基づいて、放送シグナリングまたは物理レイヤダウンリンクシグナリングによってＵＬ／ＤＬ構成情報を取得する。
【００９９】
具体的に、システムの協定に基づいて、上記３種類のシグナリングのうちの１つまたは複数種類のシグナリングから、ＣＳＩ−ＲＳのリソース位置を決定するためのＵＬ／ＤＬ構成情報を取得してもよく、基地局から送信されるＲＲＣに基づいて、上記３種類のシグナリングのうちの１つまたは複数種類のシグナリングから、ＣＳＩ−ＲＳのリソース位置を決定するためのＵＬ／ＤＬ構成情報を取得してもよい。例えば、システムにおいて、ユーザ機器が放送シグナリングから取得したＵＬ／ＤＬ構成情報のみに基づいてＣＳＩ−ＲＳのリソース位置を決定すると協定される。また、例えば、放送シグナリングとＤＣＩから取得したＵＬ／ＤＬ構成情報に基づいてＣＳＩ−ＲＳのリソース位置を決定するように、基地局からＲＲＣシグナリングによってユーザ機器に通知すると協定される。ここで、ＲＲＣシグナリングは、サブフレームタイプを決定するシグナリングを含んでもよい。
【０１００】
具体的に、ＵＬ／ＤＬ構成情報に基づいて決定したＣＳＩ−ＲＳ伝送用サブフレームのサブフレームタイプは、一種または複数種類である。例えば、ユーザ機器は、基地局から送信される放送シグナリング、物理レイヤダウンリンクシグナリングおよびハイレイヤシグナリングのうちの１つのみからＵＬ／ＤＬ構成を取得するのであれば、決定したＣＳＩ−ＲＳ伝送用サブフレームのサブフレームタイプは、一種のみである。ユーザ機器は、基地局から送信される放送シグナリング、物理レイヤダウンリンクシグナリングおよびハイレイヤシグナリングのうちの複数種類のシグナリングからＵＬ／ＤＬ構成を取得し、かつ前記複数種類のシグナリングで当該ユーザ機器に通知されるＵＬ／ＤＬ構成が同一であれば、決定したＣＳＩ−ＲＳ伝送用サブフレームのサブフレームタイプも、一種のみである。また、ユーザ機器は、基地局から送信される放送シグナリング、物理レイヤダウンリンクシグナリングおよびハイレイヤシグナリングのうちの複数種類のシグナリングからＵＬ／ＤＬ構成を取得し、かつ前記複数種類のシグナリングで当該ユーザ機器に通知されるＵＬ／ＤＬ構成が異なるであれば、決定したＣＳＩ−ＲＳ伝送用サブフレームのサブフレームタイプは、多種類になることがある。
【０１０１】
ＵＬ／ＤＬ構成情報に基づいて決定したＣＳＩ−ＲＳ伝送用サブフレームのサブフレームタイプが一種のみである場合、当該ＣＳＩ−ＲＳ伝送用サブフレームの単一種類のサブフレームタイプに基づいて、ＣＳＩ−ＲＳのリソース位置を決定する。
【０１０２】
ＵＬ／ＤＬ構成情報に基づいて決定したＣＳＩ−ＲＳ伝送用サブフレームのサブフレームタイプが複数種類である場合、前記複数種類のサブフレームタイプのそれぞれに基づいて、ＣＳＩ−ＲＳのリソース位置を決定して、サブフレームタイプ毎に対応するリソース位置集合を得る。サブフレームタイプ毎に対応するＣＳＩ−ＲＳリソース位置集合を、ダウンリンク信号の受信または測定用のＣＳＩ−ＲＳリソース位置として決定する。
【０１０３】
具体的に、ユーザ機器は、サブフレームタイプ毎に対応するＣＳＩ−ＲＳリソース位置集合をダウンリンク信号の受信または測定用のＣＳＩ−ＲＳリソース位置として決定した後に、下記２種類の方式でダウンリンク信号の受信または測定を実現することができる。
【０１０４】
方式１：ユーザ機器は、サブフレームタイプ毎に対応するＣＳＩ−ＲＳリソース位置集合の和集合でダウンリンク信号の受信または測定を行う。
【０１０５】
方式２：ユーザ機器は、サブフレームタイプ毎に対応するＣＳＩ−ＲＳリソース位置集合でそれぞれダウンリンク信号の受信または測定を行う。
【０１０６】
ここで、前記ＣＳＩ−ＲＳ伝送用サブフレームは、１つの無線フレームにおける第７個のサブフレームである。前記ＣＳＩ−ＲＳは、ＺＰ  ＣＳＩ−ＲＳおよび／またはＮＺＰ  ＣＳＩ−ＲＳを含む。
【０１０７】
本開示は、本開示の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フロー図の１つ又は複数のフロー及び／又はブロック図の１つ又は複数のブロックで指定される機能を実現するための装置を形成する。
【０１０８】
これらのコンピュータプログラムコマンドは、コンピュータ又は他のプログラマブルデータ処理デバイスに特定の方式で動作させることを導けるコンピュータ読み出し可能なメモリに格納されてもよく、当該コンピュータ読み出し可能なメモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１０９】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１１０】
本開示の好適な実施例を記載したが、当業者は、基本的な創造性概念を一旦知ると、これらの実施例に対し別の変更や修正をすることができる。従って、添付の特許請求の範囲は、好適な実施例及び本開示の範囲に入る全ての変更や修正を含むことを意図とする。
【０１１１】
明らかに、当業者は、本開示の精神や範囲を逸脱せずに、本開示に対して様々な変更や変形をすることができる。このように、本開示のこれらの修正や変形が本開示の請求項及びその同等の技術範囲に含まれるものであれば、本開示は、これらの変更や変形を含むことを意図とする。
【図１】
0006605136.tif 000003
【図２】
0006605136.tif 000004
【図３】
0006605136.tif 000005